(57)【要約】【課題】  電波時計部の動作に支障をきたしたり、電波時計部に電力が供給されていない場合であっても、的確に時刻を認識することができるようにする。【解決手段】  内部時計部１１０の時計情報と電波時計部１２０の時計情報が選択的に使用される画像処理装置１００であって、内部時計部１１０と、時計情報を含む電波を受信する電波時計部１２０と、内部時計部１１０へ電力を供給可能な内部電源１６０と、内部時計部１１０の制御モードを内部電源１６０から電力が供給される供給状態と内部電源１６０からの電力供給が停止される停止状態とに択一的に切り替える切替制御部１７０と、を備えた。【選択図】  図１
2006337137.tif 000002
【特許請求の範囲】
【請求項１】
内部時計部と、時計情報を含む電波を受信する電波時計部と、
前記内部時計部へ電力を供給可能な内部電源と、
前記内部時計部の制御モードを、前記内部電源から電力が供給される供給状態と前記内部電源からの電力供給が停止される停止状態とに択一的に切り替える切替制御部と、を備え、
前記切替制御部は、前記電波時計部における前記電波の受信状態に関する情報を取得し、該情報に基づいて前記内部時計部の制御モードを切り替えることを特徴とする画像処理装置。
【請求項２】
外部電源の電力を装置内の各部に供給するための主電源スイッチを備えたことを特徴とする請求項１に記載の画像処理装置。
【請求項３】
前記電波の受信状態に関する情報は、前記主電源スイッチがオン状態のときに該受信状態について継続的に取得された情報を含むことを特徴とする請求項２に記載の画像処理装置。
【請求項４】
前記主電源スイッチがオン状態のときに、前記電波時計部で受信した前記時計情報を前記内部時計部へ送信することを特徴とする請求項２または３に記載の画像処理装置。
【請求項５】
前記主電源スイッチがオン状態のときに、省電力移行条件が成立すると、前記外部電源から装置内の各部に供給される電力を低下させる省電力モードへ移行させる省電力制御部を備えたことを特徴とする請求項２から４のいずれか一項に記載の画像処理装置。
【請求項６】
前記切替制御部は、前記省電力モードへ移行する場合に、所定時刻到達後或いは所定時間経過後に所定の動作を実行させる予約動作機能に関する情報を取得し、該情報に基づいて前記内部時計部の制御モードを切り替えることを特徴とする請求項５に記載の画像処理装置。
【請求項７】
前記切替制御部は、前記省電力制御部によって前記省電力モードに切り替えられた状態において、復帰条件が成立すると、前記電波時計部へ前記外部電源から電力を供給し、前記電波時計部に前記電波を受信させることを特徴とする請求項５または６に記載の画像処理装置。
【請求項８】
前記主電源スイッチがオフ状態からオン状態となった場合或いは前記省電力モードから通常モードに復帰した場合に、電源オフ中或いは省電力モード中に前記内部時計部が前記停止状態であって、前記電波時計部における前記電波の受信状態が良好でないと、時計情報が利用可能でない旨或いは時計情報の設定が必要な旨を報知するとともに、ユーザによる時刻入力が可能な時刻設定モードへ移行させることを特徴とする請求項５から７のいずれか一項に記載の画像処理装置。
【発明の詳細な説明】
【技術分野】
【０００１】
本発明は、画像処理装置に関し、特に、内部時計部及び電波時計部を備えたものに関する。
【背景技術】
【０００２】
従来、複写機、ファクシミリ装置、プリンタ装置、複合機等の画像処理装置には、内部時計部としてリアルタイムクロック（以下、ＲＴＣという）が備えられる。ＲＴＣへの電力供給は、主電源スイッチがオン状態のときは外部電源を用い、主電源スイッチがオフ状態のときは内部の電池を用いる。これにより、ＲＴＣには常時電力が供給されることとなる。
【０００３】
このＲＴＣを省略して、時計機能として電波時計部を用いるものが提案されている（例えば、特許文献１参照）。特許文献１に記載の画像処理装置は、主電源スイッチがオン状態のときに蓄電するコンデンサを備え、主電源スイッチがオフ状態となったときにはコンデンサから電波時計部へ電力を供給する。また、オフ時の時刻を不揮発性メモリに記憶しておき、オフ状態が長期にわたってコンデンサに蓄えられた電力が放電された場合には、主電源がオン状態となった時刻と比較してポンピング動作を行う。
【特許文献１】特開２００２−２８９２９６号公報
【発明の開示】
【発明が解決しようとする課題】
【０００４】
しかしながら、特許文献１に記載されたプリンタ装置では、設置場所、天候等の影響により電波の受信に支障をきたした場合には、時刻の認識ができなくなるという問題点がある。そして、電波時計部の他に時計機能の代替手段がなく、電波の受信状態が回復しない限りは時計機能が復旧せず、恒常的或いは間欠的に電波の受信状態が悪化する場合には時計機能を用いた処理を全く行うことができない。
また、主電源スイッチがオフ状態となってコンデンサに蓄えられた電力が放電された場合には、電波時計部に電力が供給されずに時刻を認識することができないため、所定時刻に内部機器を動作させる設定とした場合に、当該内部機器が動作しないという事態も生じうる。
【０００５】
本発明は、前記事情に鑑みてなされたものであり、その目的とするところは、電波時計部の動作に支障をきたしたり、電波時計部に電力が供給されていない場合であっても、的確に時刻を認識することのできる画像処理装置を提供するものである。
【課題を解決するための手段】
【０００６】
上記問題を解決する本発明によれば、
内部時計部と、時計情報を含む電波を受信する電波時計部と、
前記内部時計部へ電力を供給可能な内部電源と、
前記内部時計部の制御モードを、前記内部電源から電力が供給される供給状態と前記内部電源からの電力供給が停止される停止状態とに択一的に切り替える切替制御部と、を備え、
前記切替制御部は、前記電波時計部における前記電波の受信状態に関する情報を取得し、該情報に基づいて前記内部時計部の制御モードを切り替えることを特徴とする画像処理装置が提供される。
【０００７】
この発明によれば、電波時計部は、外部電源から電力が供給され電波の受信状態が良好である場合には、定常的に正確な時刻を設定することができる。そして、電波時計部による時刻設定に支障が出る場合には、切替制御部により内部時計部の制御モードを内部電源から電力が供給される供給状態とすることにより、内部時計部による時刻設定が行われる。
これにより、電波の受信状態に応じて内部時計部を動作させ、電波時計部の動作に支障をきたした場合に内部時計部による時計機能のバックアップを行うことができる。従って、電波時計部の代わりに内部時計部の時計情報を使用することにより時計機能を用いた処理を継続的に行うことができ、実用に際して極めて有利である。
また、定常的に内部時計部へ電力を供給するわけでないので、内部電源の電力消費を最小限に抑えることができる。従って、従来よりも長期の使用に耐えることができるし、電力容量の比較的少ない内部電源とすることも可能となる。
【０００８】
上記画像処理装置において、外部電源の電力を装置内の各部に供給するための主電源スイッチを備えた構成とすることができる。
【０００９】
また、上記画像処理装置において、前記電波の受信状態に関する情報は、前記主電源スイッチがオン状態のときに該受信状態について継続的に取得された情報を含む構成とすることができる。
【００１０】
この構成によれば、切替制御部は、内部時計部の制御モードの切替判断について、判断を行う直前の一時的な受信状態だけでなく、それ以前も含む比較的長い期間の平均的な受信状態に基づいて判断を行うことができる。
【００１１】
また、上記画像処理装置において、前記主電源スイッチがオン状態のときに、前記電波時計部で受信した前記時計情報を前記内部時計部へ送信する構成とすることができる。
【００１２】
この構成によれば、電波時計部の時計情報が内部時計部へ送信されるので、内部時計部も受信した電波の時計情報に基づいた正確な時刻に設定されることとなる。これにより、電波受信状態が悪くなった場合に、装置で用いる時計情報を電波時計部から内部時計部へ切り替えたとしても、装置で用いる時計情報の正確性が維持されることとなる。
【００１３】
また、上記画像処理装置において、前記主電源スイッチがオン状態のときに、省電力移行条件が成立すると、前記外部電源から装置内の各部に供給される電力を低下させる省電力モードへ移行させる省電力制御部を備えた構成とすることができる。
【００１４】
ここでいう「省電力移行条件」とは、通常モードから省電力モードへ移行するための条件であって、例えば、省電力キーを用いた移行指示操作があったこと、動作やキー操作がない放置状態が継続したこと等が条件とされる。
【００１５】
さらに、上記画像処理装置において、前記切替制御部は、前記省電力モードへ移行する場合に、所定時刻到達後或いは所定時間経過後に所定の動作を実行させる予約動作機能に関する情報を取得し、該情報に基づいて前記内部時計部の制御モードを切り替える構成とすることができる。
【００１６】
この構成によれば、省電力モードへ移行する場合に、内部時計部の時計機能を有効とすることにより、予約された所定の動作が実行される前或いは実行されているときに、電波の受信状態が悪化したとしても、電波時計部の代わりに内部時計部の時計情報を使用することができる。これにより、予約動作の実行までの計時ができなくなることはないし、所定の動作における時計機能を用いた処理に支障をきたすこともない。
【００１７】
また、上記画像処理装置において、前記切替制御部は、前記省電力制御部によって前記省電力モードに切り替えられた状態において、復帰条件が成立すると、前記電波時計部へ前記外部電源から電力を供給し、前記電波時計部に前記電波を受信させる構成とすることができる。
【００１８】
ここでいう「復帰条件」とは、省電力モードから通常モードへ移行するための条件であって、例えば、省電力キーを用いた移行指示操作があったこと、装置の任意のキーが操作されたこと、外部からデータの受信があったこと、装置本体のカバーの開閉状態が変化したこと等が条件とされる。外部からのデータ受信としては、例えば、ファクシミリ受信等の着信、印刷データの受信等があげられる。
【００１９】
この構成によれば、省電力モード中に内部時計部が内部電源から電力が供給されていない状態では内部時計部及び電波時計部が作動せずに時計情報を使用することができないところ、復帰条件が成立すると、電波時計部へ電力を供給するようにしたので、電波時計部を用いて正確な時計情報を取得することができる。これにより、例えば、省電力モード中にファクシミリ受信等の着信が発生した場合にも、受信画像に正確な通信時刻を付加して印字することができるとともに、通信履歴情報として正確な通信時刻を記憶することができる。
【００２０】
また、上記画像処理装置において、前記主電源スイッチがオフ状態からオン状態となった場合或いは前記省電力モードから通常モードに復帰した場合に、電源オフ中或いは省電力モード中に前記内部時計部が前記停止状態であって、前記電波時計部における前記電波の受信状態が良好でないと、時計情報が利用可能でない旨或いは時計情報の設定が必要な旨を報知するとともに、ユーザによる時刻入力が可能な時刻設定モードへ移行させる構成とすることができる。
【００２１】
この構成によれば、内部時計部の時計機能がバックアップされておらず、かつ、電波の受信状態が悪い場合に、ユーザがその旨を知ることができるとともに、直ちに時計情報の設定入力を行うことができる。
【発明の効果】
【００２２】
このように、本発明によれば、電波時計部の動作に支障をきたしたり、電波時計部に電力が供給されていない場合であっても、的確に時刻を認識することができる。
【発明を実施するための最良の形態】
【００２３】
以下、本発明の一実施形態について、図面を用いて説明する。尚、すべての図面において、同様な構成要素には同様の符号を付し、適宜説明を省略する。
【００２４】
図１は本発明の一実施形態を示す画像処理装置の機能ブロック図である。
図１に示すように、画像処理装置１００は、内部時計部１１０と、時計情報を含む電波を受信する電波時計部１２０と、を備え、内部時計部１１０の時計情報と電波時計部１２０の時計情報が使用可能となっている。本実施形態においては、画像処理装置１００は、原稿の画像を読み取って読取画像データを出力する読取部１３０と、入力された画像データに基づいて画像の印刷を行う印刷部１４０と、公衆回線網を通じて他のファクシミリ装置とファクシミリ通信を行うファクシミリ通信部１５０と、ＬＡＮ等のネットワークを通じてパーソナルコンピュータ（以下、ＰＣという）等の外部端末と通信を行うネットワーク通信部１５５と、を有する複合機である。
【００２５】
画像処理装置１００は、ネットワーク通信部１５５により、外部のＰＣから受信した印刷データに基づいて印刷を実行するＰＣプリント機能、及び／又は、読取部１３０が出力した読取画像データを外部のＰＣに転送（送信）するＰＣスキャン機能が可能となる。そして、例えば、印刷部１４０は、読取部１３０が出力した読取画像データに基づいて印刷を実行したり、或いは、ネットワーク通信部１５５が受信した印刷データに基づいて印刷を実行したりする。
【００２６】
また、図１に示すように、画像処理装置１００は、内部時計部１１０へ電力を供給可能な内部電源１６０と、内部時計部１１０の制御モードを、内部電源１６０から電力が供給される供給状態と内部電源１６０からの電力供給が停止される停止状態とに択一的に切り替える切替制御部１７０と、を備えている。本実施形態においては、画像処理装置１００は主電源としての外部電源３００に接続されており、切替制御部１７０は内部時計部１１０への電力供給を内部電源１６０と外部電源３００とに択一的に切り替える。すなわち、内部時計部１１０への電力供給を外部電源３００に切り替えた状態が、内部電源１６０からの電力供給が停止された停止状態となる。
【００２７】
ここで、切替制御部１７０は、電波時計部１２０における電波の受信状態に関する情報（以下、電波受信状態情報という）と、所定時刻経過後に所定の内部機器を動作させる予約動作機能に関する情報（以下、予約動作情報という）と、を取得し、これらの情報に基づいて内部時計部１１０の制御モードを供給状態と停止状態に切り替える。ここで、電波受信状態情報は、前記主電源スイッチがオン状態のときに該受信状態について継続的に取得された情報である。また、予約動作機能の一例としては、指定した時刻となると自動的に発呼して送信する時刻指定送信機能がある。
【００２８】
ここで、図１では説明のため、外部電源３００が内部時計部１１０のみに接続されている状態を図示しているが、外部電源３００からは各部に電力が供給されている。また、画像処理装置１００は、外部電源３００の電力を装置内の各部に供給するための主電源スイッチを含む操作入力部１８０と、液晶等により内部機器の作動状態を表示する表示部１８５と、を有している。主電源スイッチはユーザの操作によりオン、オフに切り替えられるものである。さらに、画像処理装置１００は、主電源スイッチがオン状態のときに、省電力移行条件が成立すると、外部電源３００から装置内の各部に供給される電力を低下させる省電力モードへ移行させる省電力制御部１９０を備えている。そして、省電力モード中に復帰条件が成立すると通常モードへ移行する構成となっている。
【００２９】
ここでいう「省電力移行条件」とは、通常モードから省電力モードへ移行するための条件であって、例えば、省電力キーを用いた移行指示操作があったこと、動作やキー操作がない放置状態が継続したこと等が条件とされる。
また、「復帰条件」とは、省電力モードから通常モードへ移行するための条件であって、例えば、省電力キーを用いた移行指示操作があったこと、装置の任意のキーが操作されたこと、外部からのデータ受信があったこと、装置本体のカバーの開閉状態が変化したこと等が条件とされる。外部からのデータ受信としては、例えば、ファクシミリ受信等の着信、印刷データの受信等があげられる。
【００３０】
この画像処理装置１００の各構成要素は、任意のコンピュータのハードウェアとソフトウェアの任意の組合せによって実現される。そして、その実現方法、装置にはいろいろな変形例があることは、当業者には理解されるところである。図１には、ハードウェア単位の構成ではなく、機能単位のブロックを示している。
【００３１】
また、具合的には、本実施形態において、画像処理装置１００の主要部は図２に示すハードウェア構成を有する。図２に示すように、画像処理装置１００は、ＣＰＵ２１０と、ＲＯＭ２２０と、ＥＥＰＲＯＭ２２５と、ＲＡＭ２３０と、電波時計２４０と、電波受信用のアンテナ２５０と、ＲＴＣ２６０と、が電気的に接続されて構成されている。ここで、図２には、画像処理装置１００のハードウェア構成のうち、時計機能に直接的に関するものを図示している。尚、図２では、スキャナ（読取部１３０）、プリンタ（印刷部１４０）、ＬＡＮ及びＩ／Ｆ（ネットワーク通信部１５５）、モデム及びＮＣＵ（ファクシミリ通信部１５０）、操作入力部（１８０）、ＬＣＤ（表示部１８５）等は省略している。ここで、図２に示すように、ＲＴＣ２６０には、外部電源としての主電源２７０と、内部電源としての内部電池２８０とから、択一的に電力が供給される。ＲＴＣ２６０への電力供給の切り換えは、ポート２９０により制御される。
【００３２】
尚、主電源スイッチがオフ状態となると、主電源２７０から内部機器への電力供給は停止される。すなわち、ポート２９０によりＲＴＣ２６０への電力供給が主電源２７０に切り替えられた状態で、主電源スイッチがオフ状態となると主電源２７０からＲＴＣ２６０への電力供給が停止される。
【００３３】
ＣＰＵ２１０は、ＲＯＭ２２０に記憶されたソフトウェアを実行することで、バスに接続された各構成部を総括的に制御する。すなわち、ＣＰＵ２１０は、所定の処理シーケンスに従って、各プログラムを不揮発性メモリとしてのＲＯＭ２２０から読み出して実行することにより、画像処理装置１００の各部を制御するとともに、内部時計部１１０の電力供給制御を行う。また、電波受信状態情報と、予約動作情報については、電気的に書き換え可能である不揮発性メモリとしてのＥＥＰＲＯＭ２２５に記憶される。このＥＥＰＲＯＭ２２５に記憶される予約動作情報としては、時刻指定送信の「指定時刻」、「送信先」等がある。
【００３４】
また、揮発性メモリとしてのＲＡＭ２３０には、ＣＰＵ２１０が各プログラムを実行する上で一時的に必要とされるプログラム、データが格納される。本実施形態においては、現在時刻としての「タイムデータ」がＲＡＭ２３０に格納される。このタイムデータは、例えば、ファクシミリ受信したとき、通信時刻として受信画像とともに印字されたり、通信履歴情報に通信時刻として記憶される。
【００３５】
以上のように構成された画像処理装置１００の動作について、図３から図５に示すフローチャートを参照して説明する。
図３に示すように、主電源スイッチがオン状態となると（ステップＳ１０）、まず、主電源２７０がオフの間にＲＴＣ２６０が動作して時計機能がバックアップされているか否かを判別する（ステップＳ２０）。ステップＳ２０で、時計機能がバックアップされていると判別されると、ＲＡＭ２３０のタイムデータ（図中「time_data」）をＲＴＣ２６０の時計情報に基づいて更新する（ステップＳ３０）。
【００３６】
ステップＳ３０の後、電波の受信状態が良好か否かを判別する（ステップＳ４０）。この判別は、電波時計２４０において標準電波に基づいて正常に時計機能が動作しているか否かにより行われる。そして、電波の受信状態が良好でないと判別された場合は、ＲＴＣ２６０を引き続き動作させ、ＲＡＭ２３０のタイムデータをＲＴＣ２６０の時計情報に基づいて更新する（ステップＳ５０）。
【００３７】
ステップＳ４０にて、電波の受信状態が良好であると判別された場合は、ＲＡＭ２３０のタイムデータを電波時計２４０の時計情報に基づいて更新するとともに、電波時計２４０の時計情報をＲＴＣ２６０へ送信してＲＴＣ２６０の時刻設定を行う（ステップＳ６０）。このとき、電波時計２４０とＲＴＣ２６０の両方が動作した状態となっている。
【００３８】
ここで、ステップＳ２０で、時計機能がバックアップされていないと判別された場合は、ＲＡＭ２３０のタイムデータをクリアして（ステップＳ７０）、電波の受信状態が良好か否かを判別する（ステップＳ８０）。ステップＳ８０にて電波の受信状態が良好でないと判別された場合は、時計情報が利用可能でない旨を報知して、タイムデータの設定モードへ移行してユーザによる時刻入力が可能な状態とする（ステップＳ９０）。すなわち、画像処理装置１００は、主電源スイッチがオフ状態からオン状態となった場合或いは省電力モードから通常モードに復帰した場合に、電源オフ中或いは省電力モード中に内部時計部１１０の制御モードが停止状態であって、且つ、主電源スイッチがオン状態となった直後或いは通常モードに復帰した直後において、電波時計部１２０における電波の受信状態が良好でないと、時計情報が利用可能でない旨を報知するとともに、ユーザによる時刻入力が可能な時刻設定モードへ移行させる構成となっている。
【００３９】
この構成によれば、内部時計部１１０の時計機能がバックアップされておらず、かつ、電波の受信状態が悪い場合に、ユーザがその旨を知ることができるとともに、直ちに時計情報の設定入力を行うことができる。この報知は、例えば、表示画面上にその旨を表示して行うものであってもよいし、ブザー等を吹鳴させて行うものであってもよい。そして、ユーザによる時刻の操作入力があると、その時刻の情報に基づいてＲＡＭ２３０内のタイムデータを更新する。ステップＳ８０にて電波の受信状態が良好であると判別された場合は、ステップＳ６０へ進み、ＲＡＭ２３０のタイムデータを電波時計２４０の時計情報に基づいて更新するとともに、電波時計２４０の時計情報をＲＴＣ２６０へ送信する。
【００４０】
ステップＳ５０、ステップＳ６０及びステップＳ９０の後、所定時間経過後に電波の受信を試みて電波時計２４０の時刻合わせを行う（ステップＳ１００）。本実施形態においては、この所定時間は約１分である。次いで、通常モードから抜けて、電波時計２４０及びＲＴＣ２６０に主電源２７０からの電力供給が停止されるか否かを判別する（ステップＳ１１０）。ステップＳ１１０にて、電波時計２４０及びＲＴＣ２６０に引き続き主電源２７０からの電力が供給されると判別された場合、ステップＳ４０へ進んで再度電波の受信状態を判別する。すなわち、通常のモードが維持される場合は、所定時間おきに繰り返し電波の受信状態が判別されることとなり、電波状態が急に悪くなった場合にも受信状態の悪化が検知されるようになっている。
【００４１】
ステップＳ１１０にて電波時計２４０及びＲＴＣ２６０に対する主電源２７０からの電力供給が停止されると判別されると、省電力シーケンスへの移行か否かを判別する（ステップＳ１２０）。ステップＳ１２０で省電力シーケンスへの移行と判別されると、図４に示すように、省電力モードへの移行のための各種設定を行う（ステップＳ１３０）。次いで、省電力モード中にＲＴＣ２６０を動作させるか否か、すなわち、ＲＴＣ２６０のバックアップを行うか否かを判別する（ステップＳ１４０）。
【００４２】
本実施形態においては、省電力モード中にＲＴＣ２６０を動作させるか否かの判別は、複数の条件に基づいて行う。
１つ目の条件は、前述の電波受信状態情報に関し、電波受信状態の良好度合いである。電源がオンしている間、継続的に受信レベルを取得してＲＡＭ２３０に記憶しておき、それら複数の受信レベルの平均値と予め記憶された比較対象値とを比較し、その比較結果に基づいて、電波受信状態の良好度合いを判別することができる。例えば、受信レベルの平均値が比較対象値より小さい場合には、受信状態が不安定であると判断し、ＲＴＣ２６０のバックアップが必要であると判断することができる。
【００４３】
２つめの条件は、予約動作情報に関し、予約動作の有無である。すなわち、時刻指定送信機能等の予約動作機能によって、設定時刻到達後、或いは、設定時間経過後に予約動作が設定されている場合、設定時刻に到達したこと、或いは、設定時間が経過したことを検出するために正確な時計情報が必要になることから、ＲＴＣ２６０のバックアップが必要であると判断することができる。
【００４４】
本実施形態においては、以上の２つの条件のうち、少なくとも１つの条件を満たせば、ＲＴＣ２６０によるバックアップを行うように判別される。ステップＳ１４０にてバックアップを行うように判別されると、ＲＴＣ２６０に内部電池２８０から電力を供給するようポート２９０を制御し（ステップＳ１５０）、省電力モードへ移行する（ステップＳ１６０）。ステップＳ１４０にてバックアップを行わないよう判別されると、ポート２９０を制御することなく、ステップＳ１６０へ進んで省電力モードへ移行する。
【００４５】
そして、省電力モード中には、主電源２７０から各部（電波時計２４０及びＲＴＣ２６０を含む）への電力供給が停止される。但し、復帰条件（通常モードへ復帰するための条件）の成立を監視するためのモジュールへの電力供給は維持する。すなわち、着信（ファクシミリ受信）、操作入力、印刷データ受信等の発生を検出するためのモジュールについては、省電力モード中も主電源２７０からの電力供給を停止しない。
【００４６】
図４に示すように、省電力モードへ移行した後、主電源スイッチがオフ状態であるか否かを判別する（ステップＳ１７０）。ステップＳ１７０にて主電源スイッチが引き続きオン状態である場合は、所定の動作の予約があるか否かを判別する（ステップＳ１８０）。尚、ステップＳ１７０にて、主電源スイッチがオフ状態とされた場合については後述する。ステップＳ１８０にて予約動作があると判別すると、当該予約動作の実行タイミングに到達したか否かを判別する（ステップＳ１９０）。このとき、実行タイミングに到達していなければステップＳ１７０へ戻り、実行タイミングに到達していたら予約動作を行う（ステップＳ２００）。
【００４７】
ステップＳ１８０にて予約動作がないと判別した場合、及び、ステップＳ２００の後、復帰条件が成立したか否かを判別する（ステップＳ２１０）。ステップＳ２１０にて復帰条件が成立していないならば、ステップＳ１７０へ進んで省電力モードを継続する。ステップＳ２１０にて復帰条件が成立すると、ステップＳ１０へ進んで通常モードへ移行する。本実施形態においては、省電力モードから通常モードへ復帰したとき、ＲＴＣ２６０がバックアップされているか否かに関わらず、電波時計２４０に電力を供給して電波を受信させる。
【００４８】
ここで、省電力モード中に着信が発生した場合について、ファクシミリ受信を例にあげて説明する。この場合、着信に伴う着信処理（受信、印字等）に必要なモジュールへの電力供給を開始して、画像データの受信及び印字を行うとともに、並行して電波時計手段により時計情報の受信を行い、通信履歴として着信時刻（受信時刻）を記憶する。着信処理及び通信履歴更新処理が終了すると、或いは、終了から所定時間経過すると、主電源２７０から各モジュールへの電力供給を停止して省電力モードを継続する。ここで、電波を受信して時計情報を解読するのに１分程度かかるが、ファクシミリ受信から印字が終了するまでにも同程度の時間がかかることから、電波の受信及び解読によって、ファクシミリ受信及び印字後の主電源２７０から各部への電力供給を停止するまでの時間が長引くようなことはない。
【００４９】
ステップＳ１２０で省電力シーケンスへの移行でないと判別された場合、図５に示すように、電源オフシーケンスへの移行のための各種設定を行う（ステップＳ２２０）。また、ステップＳ１７０にて主電源スイッチがオフ状態である場合は、図４に示すように電波時計２４０に主電源２７０から電力を供給してから（ステップＳ２３０）、ステップＳ２２０へ進んで電源オフシーケンスへの移行のための各種設定を行う。そして、ステップＳ２２０の後、電源オフ時に、ＲＴＣ２６０を動作させて時計機能のバックアップを行うか否かを判別する（ステップＳ２４０）。
【００５０】
電源オフ時にＲＴＣ２６０を動作させるか否かの判別は、省電力モードにおける判別と異なり、電波受信状態のみに基づいて判断し、予約動作有無について考慮しない。そして、ステップＳ２４０にてバックアップを行うように判別されると、ＲＴＣ２６０に内部電池２８０から電力を供給するようポート２９０を制御し（ステップＳ２５０）、主電源２７０をオフとする（ステップＳ２６０）。ステップＳ２４０にてバックアップを行わないよう判別されると、ポート２９０を制御することなく、ステップＳ２６０へ進んで主電源２７０をオフとする。
【００５１】
このように、本実施形態の画像処理装置１００によれば、電波時計部１２０は、外部電源３００から電力が供給されていて、且つ、電波の受信状態が良好である場合には、定常的に正確な時刻を設定することができる。そして、この電波時計部１２０による時刻設定に支障が出る場合には、切替制御部１７０により内部時計部１１０の制御モードを内部電源１６０から電力が供給される供給状態とすることにより、内部時計部１１０による時刻設定が行われる。
これにより、電波の受信状態に応じて内部時計部１１０を動作させ、電波時計部１２０の動作に支障をきたした場合に内部時計部１１０による時計機能のバックアップを行うことができる。従って、電波時計部１２０の代わりに内部時計部１１０の時計情報を使用することにより時計機能を用いた処理を継続的に行うことができ、実用に際して極めて有利である。
【００５２】
本実施形態によれば、省電力モードへ移行する場合に、内部時計部１１０の時計機能を有効とすることにより、予約された所定の動作が実行される前或いは実行されているときに、電波の受信状態が悪化したとしても、電波時計部１２０の代わりに内部時計部１１０の時計情報を使用することができる。これにより、予約動作の実行までの計時ができなくなることはないし、所定の動作における時計機能を用いた処理に支障をきたすこともない。
【００５３】
具体的には、天候、時間帯等により電波の受信状態が変化する場合にも、内部時計部１１０の時計情報を用いて読取部１３０、印刷部１４０、ファクシミリ通信部１５０等における時計機能を用いた処理を行うことができる。ここで、主電源スイッチがオン状態となったときに、電波時計２４０の時計情報がＲＴＣ２６０へ送信されるようにしたので、内部時計部１１０は正確な時刻に設定されることとなる。これにより、電波受信状態が悪くなった場合に、装置で用いる時計情報を電波時計部１２０から内部時計部１１０へ切り替えたとしても、装置で用いる時計情報の正確性が維持されることとなる。尚、例えば、画像処理装置１００の設置場所が電波の受信に不適である場合には、永続的に電波を受信することができないおそれがあるが、そのような場合には電源をオンする毎にユーザで時刻を設定することができる（図３のステップＳ９０）。
【００５４】
また、定常的に内部時計部１１０へ電力を供給するわけでないので、内部電源１６０の電力消費を最小限に抑えることができる。すなわち、電源オフ中において、必要な場合のみ、内部電源１６０から内部時計部１１０への電力供給を行うので、内部電源１６０の電力消費を最小限に抑えることができる。従って、従来よりも長期の使用に耐えることができるし、電力容量の比較的少ない内部電源１６０とすることも可能となる。
【００５５】
従って、従来の能力を維持しつつ電力容量を少なくする場合は、内部電源１６０として内部電池２８０に代えて、例えばいわゆるスーパーキャパシタのようなコンデンサを用いることができる。この場合は、電池破棄時の回収等が不要であることは勿論、廃棄物等も生じないことから電池の環境問題が解決される。さらに、容量の比較的大きな電池のように内部の基板の面積を比較的大きく占有することもなく、基板の設計自由度が飛躍的に向上する。
【００５６】
また、電波受信状態情報が受信状態について継続的に取得された情報であることから、切替制御部１７０は、内部時計部１１０の制御モードの切替判断について、判断を行う直前の一時的な受信状態だけでなく、それ以前も含む比較的長い期間の平均的な受信状態に基づいて判断を行うことができる。
【００５７】
また、本実施形態の画像処理装置１００によれば、省電力モード中にファクシミリ受信があった場合には、ステップＳ２０〜Ｓ１００と同様の処理を行う。すなわち、ＲＴＣ２６０の時計機能がバックアップされているならばＲＴＣ２６０の情報を用いてＲＡＭ２３０のタイムデータを更新してから電波の受信を試み、ＲＴＣ２６０の時計機能がバックアップされていないならば電波の受信をしてＲＡＭ２３０のタイムデータを更新する。
【００５８】
尚、前記実施形態においては、画像処理装置１００として複合機を例示したが、画像処理装置は複写機、ファクシミリ装置、プリンタ装置等であってもよいことは勿論である。
【００５９】
また、前記実施形態においては、内部時計部１１０が内部電源１６０と外部電源３００とに選択的に接続されるものを示したが、内部時計部１１０と外部電源３００とが接続されていなくともよい。すなわち、切替制御部１７０により、内部時計部１１０へ内部電源１６０から電力が供給される供給状態と内部電源１６０からの電力供給が停止される停止状態とに択一的に制御される構成であればよい。
【００６０】
また、前記実施形態においては、省電力モードへ移行するとき、電波の受信状態に関する情報と、予約動作機能に関する情報と、に基づいて内部時計部１１０の電力の供給状態が切り替えられるものを示したが、いずれか一方の情報で切り替えられるものであってもよいことは勿論である。また、前記実施形態においては、省電力モードから通常モードへ復帰したとき、ＲＴＣ２６０がバックアップされているか否かに関わらず、電波時計２４０に電力を供給するものを示したが、ＲＴＣ２６０がバックアップされているかを判断し、バックアップされていないと判断した場合、電波時計２４０に電力を供給して電波を受信させるようにしてもよい。
【００６１】
ここで、各条件は画像処理装置１００の仕様、用途等に応じて適宜変更することができ、前記実施形態に示した２つの条件に限定されるものではない。すなわち、例えば、ファクシミリ受信が多い時間帯、曜日を統計的に記憶しておき、この時間帯や曜日の前に主電源２７０がオフされるような場合に、ＲＴＣ２６０へ内部電池２８０から電力供給を行うようにしてもよい。
【００６２】
また、前記実施形態においては、電源オフ中或いは省電力モード中に内部時計部１１０の制御モードが停止状態であって、且つ、主電源スイッチがオン状態となった直後或いは通常モードに復帰した直後において、電波時計部１２０における電波の受信状態が良好でないと、時計情報が利用可能でない旨を報知するものを示したが、時計情報の設定が必要な旨を報知するようにしてもよい。
【００６３】
また、前記実施形態においては、省電力モード中に着信があった場合に、着信処理に必要なモジュールへの電力を供給するものを示したが、省電力モードから通常モードへ移行させてもよいし、その他、具体的な細部構造等についても適宜に変更可能であることは勿論である。
【図面の簡単な説明】
【００６４】
【図１】本発明の一実施形態を示す画像処理装置の機能ブロック図である。
【図２】画像処理装置１００のハードウェア構成のうち、時計機能に関するものを示す概略構成ブロック図である。
【図３】切替制御部の動作を示すフローチャートである。
【図４】切替制御部の動作を示すフローチャートである。
【図５】切替制御部の動作を示すフローチャートである。
【符号の説明】
【００６５】
１００    画像処理装置
１１０    内部時計部
１２０    電波時計部
１３０    読取部
１４０    印刷部
１５０    ファクシミリ通信部
１５５    ネットワーク通信部
１６０    内部電源
１７０    切替制御部
１８０    操作入力部
１８５    表示部
１９０    省電力制御部
２１０    ＣＰＵ
２２０    ＲＯＭ
２２５    ＥＥＰＲＯＭ
２３０    ＲＡＭ
２４０    電波時計
２５０    アンテナ
２６０    ＲＴＣ
２７０    主電源
２８０    内部電池
２９０    ポート
３００    外部電源
【図１】
2006337137.tif 000003
【図２】
2006337137.tif 000004
【図３】
2006337137.tif 000005
【図４】
2006337137.tif 000006
【図５】
2006337137.tif 000007